【事件の表示】
　商願２０００−１２２５６４拒絶査定不服審判事件について、次のとおり審決する。
【結　論】
　原査定を取り消す。
　本願商標は、登録すべきものとする。
【理　由】
１　本願商標
　本願商標は、「ＤＡＩＨＯ」の文字（標準文字）からなり、平成１２年１１月１３日登録出願、指定役務を第３７類「建築一式工事，しゅんせつ工事，土木一式工事」とするものである。
　
２　引用商標
　原査定が、本願商標は商標法第４条第１項第１１号に該当するものであるとして、その出願の拒絶に引用した登録商標は、下記（ａ）ないし（ｐ）に示すとおりである。 以下、これらの登録商標を表記した番号に従い「引用商標（ａ）」、「引用商標（ｂ）」のようにいい、一括していう場合は「引用各商標」と総称する。
（ａ）「大興」の文字からなり、第３７類「土木機械器具の貸与」を指定役務とする登録第３０６４０９５号商標（平成４年９月１１日出願、平成７年７月３１日設定登録）
（ｂ）「大工建設株式会社」の文字からなり、第３７類「建築一式工事」を指定役務とする登録第３０６７８５８号商標（平成４年９月２８日出願、平成７年８月３１日設定登録）
（ｃ）「大幸住宅」の文字からなり、第３７類「建築一式工事」を指定役務とする登録第３０６８７８９号商標（平成４年９月２５日出願、平成７年８月３１日設定登録）
（ｄ）別掲（１）のとおりの構成からなり、第３７類「熱絶縁工事」を指定役務とする登録第３１４８５１１号商標（平成４年９月３０日出願、平成８年４月３０日設定登録）
（ｅ）別掲（２）のとおりの構成からなり、第３７類「建築一式工事，鋼構造物工事」を指定役務とする登録第３２００９６２号商標（平成４年８月２７日出願、平成８年９月３０日設定登録）
（ｆ）別掲（３）のとおりの構成からなり、第３７類「左官工事，大工工事，タイル・れんが又はブロックの工事，建具工事，塗装工事，内装仕上工事，エレベーター及びエスカレーターの修理又は保守，防災設備の修理又は保守，暖冷房装置の修理又は保守，ボイラーの修理又は保守，冷凍機械器具の修理又は保守，電話交換器の修理又は保守，浄化槽の修理又は保守，煙突の清掃，建築物の外壁の清掃，窓の清掃，ブラインドの清掃，床敷物の清掃，床磨き，机上の清掃，便所の清掃，照明器具の清掃，給排気管の清掃，プールの清掃，し尿処理槽の清掃，下水管又は排水管の清掃，浄化槽の清掃，貯水槽の清掃，側溝の消毒，有害動物の防除，モップの貸与」を指定役務とする登録第３２２３４４６号商標（平成４年９月３０日出願、平成８年１１月２９日設定登録）
（ｇ）別掲（４）のとおりの構成からなり、第３７類「熱絶縁工事」を指定役務とする登録第３２２６７２６号商標（平成４年９月３０日出願、平成８年１１月２９日設定登録）
（ｈ）「ＤＡＩＫＯ」の文字からなり、第３７類「建築一式工事」を指定役務とする登録第３２２９３５６号商標（平成４年９月２８日出願、平成８年１１月２９日設定登録）　
（ｉ）「ＴＡＩＨＯ」の文字からなり、第３７類「油槽の洗浄，管工事」を指定役務とする登録第３２３０６４１号商標（平成４年９月３０日出願、平成８年１１月２９日設定登録）
（ｊ）「ＤＡＩＫＯ」の文字からなり、第３７類「建築一式工事，鋼構造物工事」を指定役務とする登録第３２３２４６８号商標（平成４年８月２７日出願、平成８年１２月２５日設定登録）
（ｋ）「ＤＡＩＫＯ」の文字からなり、第３７類「建築一式工事」を指定役務とする登録第３２４２４０９号商標（平成４年９月２５日出願、平成８年１２月２５日設定登録）　
（ｌ）「ＤＡＩＫＯ」の文字からなり、第３７類「電子計算機（中央処理装置及び電子計算機用プログラムを記憶させた電子回路，磁気ディスクその他の周辺機器を含む。）・電話交換設備・電気通信機械器具の設置工事及び修理又は保守，電気通信工事，ボイラー設備・冷暖房装置・空気調和装置・給排水設備の設置工事及び修理又は保守，制御用の機械器具・高圧受電設備・電気設備の設置工事及び修理又は保守」を指定役務とする登録第３２４９７２９号商標（平成４年９月２９日出願、平成９年１月３１日設定登録）
（ｍ）「大興電子通信」の文字からなり、第３７類「電子計算機その他の電子応用機械器具の設置工事及び修理又は保守，電気通信機械器具の設置工事及び修理又は保守，電気通信工事，強弱電設備・ボイラー設備・株価表示装置その他の自動表示装置・工作機械数値制御装置又は遠隔制御装置その他の自動制御装置の設置工事及び修理又は保守，冷暖房装置・空気調和装置・給排水設備の据付工事及び修理又は保守」を指定役務とする登録第３２７６８１０号商標（平成４年９月２９日出願、平成９年４月１１日設定登録）
（ｎ）「ＤＡＩＫＯ　ＤＥＮＳＨＩ　ＴＳＵＳＨＩＮ，ＬＴＤ．」の文字からなり、第３７類「電子計算機その他の電子応用機械器具の設置工事及び修理又は保守，電気通信機械器具の設置工事及び修理又は保守，電気通信工事，強弱電設備・ボイラー設備・株価表示装置その他の自動表示装置・工作機械数値制御装置又は遠隔制御装置その他の自動制御装置の設置工事及び修理又は保守，冷暖房装置・空気調和装置・給排水設備の据付工事及び修理又は保守」を指定役務とする登録第３２７６８１１号商標（平成４年９月２９日出願、平成９年４月１１日設定登録）
（ｏ）別掲（１）のとおりの構成からなり、第３７類「建築一式工事，しゅんせつ工事，土木一式工事，舗装工事，石工事，ガラス工事，鋼構造物工事，左官工事，大工工事，タイル・れんが又はブロックの工事，建具工事，鉄筋工事，塗装工事，とび・土工又はコンクリートの工事，内装仕上工事，板金工事，防水工事，屋根工事，管工事，機械器具設備工事，さく井工事，電気工事，電気通信工事，冷凍庫もしくは冷蔵庫の設置工事，冷凍庫もしくは冷蔵庫の解体工事，冷凍庫用の防熱扉もしくは冷凍庫用の防熱配管の設置工事，冷凍コンテナの防熱工事，冷凍庫もしくは冷蔵庫の修理又は保守，冷凍庫用の防熱扉もしくは冷凍庫用の防熱配管の修理又は保守，冷凍コンテナの修理又は保守」を指定役務とする登録第３３６０４２０号商標（平成４年９月３０日出願、平成９年１１月２１日設定登録）　
（ｐ）「ダイコーエンジニアリング」の文字からなり、第３７類「照明用器具の設置工事，照明用器具の修理及び保守」を指定役務とする登録第４０５６７１７号商標（平成７年１０月２４日出願、平成９年９月１２日設定登録）
　
３　当審の判断
　本願商標は、前記１のとおり「ＤＡＩＨＯ」の文字を標準文字で書してなるものであり、「ダイホー」と称呼されるものと認められる。
　一方、引用各商標は、それぞれ前記２に示すとおりの構成からなるものであって、その構成に徴すれば、引用商標（ａ）は、「ダイコウ」又は「タイコウ」と称呼される商標とみるのが相当である。同じく引用商標（ｂ）は、「ダイコウケンセツコウギョウ」、「ダイコウケンセツ」、「ダイクケンセツコウギョウ」又は「ダイクケンセツ」と略称されることのある商標とみるのが相当である。同じく引用商標（ｃ）は、「ダイコウジュウタク」又は「タイコウジュウタク」と称呼される商標とみるのが相当である。同じく引用商標（ｄ）は、「ダイホウコウギョウ」又は「タイホウコウギョウ」と略称されることのある商標とみるのが相当である。同じく引用商標（ｅ）は、「ダイコウ」又は「オオヒロ」と略称されることのある商標とみるのが相当である。同じく引用商標（ｆ）は、「ダイコー」と称呼されるものと認められる。同じく引用商標（ｇ）は、「タイホー」と称呼される商標とみるのが相当である。同じく引用商標（ｈ）は、「ダイコー」と称呼される商標とみるのが相当である。同じく引用商標（ｉ）は、「タイホー」と称呼される商標とみるのが相当である。同じく引用商標（ｊ）ないし（ｌ）は、ともに「ダイコー」と称呼される商標とみるのが相当である。同じく引用商標（ｍ）は、「ダイコウデンシツウシン」又は「タイコウデンシツウシン」と称呼される商標とみるのが相当である。同じく引用商標（ｎ）は、「ダイコーデンシツウシン」と略称されることのある商標とみるのが相当である。同じく引用商標（ｏ）は、「ダイホウコウギョウ」又は「タイホウコウギョウ」と略称されることのある商標とみるのが相当である。同じく引用商標（ｐ）は、「ダイコーエンジニアリング」と称呼される商標と認められる。
　そして、本願商標の称呼である「ダイホー」と引用各商標の「タイホー」、「ダイコー」などの称呼又は「ダイホウコウギョウ」などの略称は、容易に聞き分けできるものといえるから、本件商標と引用各商標は、称呼上非類似の商標というべきである。
　また、本件商標と引用各商標は、その外観及び観念において類似するものともいえないから、互いに非類似の商標といわなければならない。
　したがって、本願商標が商標法第４条第１項第１１号に該当するとして本願を拒絶した原査定は、取消しを免れない。
　その他、政令で定める期間内に本願について拒絶の理由を発見しない。
　よって、結論のとおり審決する。